(57)【要約】【課題】本発明は、渡配線同士の絡みを防止して、接続切替等の作業性を向上する光配線設備を提供することを目的とする。【解決手段】本発明は、複数集合して、左右方向及び前後方向に配置された光配線盤と、各光配線盤の上または下に設置され、水平方向に並べて配置された複数の架間配線箱３とを有し、光配線盤間の渡配線が複数の架間配線箱３内を経由して配線されるようになっており、前記架間配線箱３は少なくとも上下２段２０、２１となっており、複数の段のうちの少なくとも一段は、左右方向に配置された光配線盤間の渡配線を経由させる左右方向配線部２１であり、前記複数の段のうち、前記左右方向配線部以外の少なくとも一段が、前後方向に配置された光配線盤間の渡配線を経由させる前後方向配線部２０であることを特徴とする光配線設備である。【選択図】  図２
2004347967.tif 000002
【特許請求の範囲】
【請求項１】
複数集合して、左右方向及び前後方向に配置された光配線盤と、各光配線盤の上または下に設置され、水平方向に並べて配置された複数の架間配線箱とを有し、光配線盤間の渡配線が複数の架間配線箱内を経由して配線されるようになっており、
前記架間配線箱は少なくとも上下２段となっており、複数の段のうちの少なくとも一段は、左右方向に配置された光配線盤間の渡配線を経由させる左右方向配線部であり、前記複数の段のうち、前記左右方向配線部以外の少なくとも一段が、前後方向に配置された光配線盤間の渡配線を経由させる前後方向配線部であることを特徴とする光配線設備。
【請求項２】
前記架間配線箱の前記左右方向配線部には、左右方向に隣設されている架間配線箱間の左右方向の渡配線が集合配線される左右方向配線領域と、架間配線箱の配線口を介して、該架間配線箱の上または下の光配線盤との間に配線される光ファイバが集合配線される引き込み配線領域とが、該左右方向配線部の配線台上の異なる位置に設けられており、左右方向に隣り合う前記架間配線箱の前記左右方向配線領域同士が渡配線可能に隣り合っていることを特徴とする請求項１に記載の光配線設備。
【請求項３】
前記架間配線箱の前記前後方向配線部には、前記引き込み配線領域と前後方向に隣設された架間配線箱間に前後方向の渡配線を通すための連通配線用ゲートとが設けられており、前記連通配線用ゲート同士を連通させて、前後方向に隣設された一対の架間配線箱の引き込み配線領域間に、前後方向の渡配線が可能になっていることを特徴とする請求項１又は２に記載の光配線設備。
【請求項４】
前記前後方向配線部には、左右方向に隣設されている架間配線箱の前後方向配線部間の渡配線が集合配線される左右方向配線領域が、前記引き込み配線領域に対して位置をずらして設けられており、左右方向に隣り合う架間配線箱の前記前後方向配線部の左右方向配線領域間は、左右方向の渡配線を可能に隣り合っており、左右方向に隣設された前後方向配線部の左右方向配線領域を介することで、前記前後方向の渡配線の光ファイバを、左右方向の位置が異なる光配線盤間に配線できるようになっていることを特徴とする請求項３に記載の光配線設備。
【請求項５】
複数集合して、左右方向及び前後方向に配置された光配線盤の上または下に設置されて、水平方向に複数並べて配置されることで、光配線盤間の渡配線を収納する架間配線箱であって、
左右方向に配置された光配線盤間の渡配線を経由させる左右方向配線部と、この左右方向配線部の上又は下に設けられ、前後方向に配置された光配線盤間の渡配線を経由させる前後方向配線部と、該架間配線箱の上または下の光配線盤との間に配線される光ファイバを通すための配線口とを有し、
前記左右方向配線部には、左右方向に隣設されている架間配線箱間の渡配線が集合配線される左右方向配線領域と、前記配線口を介して光配線盤との間に配線される光ファイバが集合配線される引き込み配線領域とが、該左右方向配線部の配線台上の異なる位置に設けられており、
前記前後方向配線部には、配線口を介して光配線盤との間に配線される光ファイバが集合配線される引き込み配線領域と、前後方向に隣設された架間配線箱間の渡配線を通すための連通配線用ゲートとが設けられていることを特徴とする架間配線箱。
【発明の詳細な説明】
【０００１】
【発明の属する技術分野】
本発明は、複数の光配線盤を備えた光配線設備、及び光配線盤に関するものである。
【０００２】
【従来の技術】
従来から、複数集合した光配線盤間に自由に渡配線を配線するため、光配線盤の上または下に架間配線箱を設置し、光配線盤間の渡配線を架間配線箱内を経由して配線した光配線設備が知られている（例えば、特許文献１参照）。
【０００３】
【特許文献１】
特開平１０−２９３２１４号公報
【０００４】
【発明が解決しようとする課題】
しかしながら、従来技術としての上記光配線設備では、光配線盤を左右方向及び前後方向に複数配置し、これら複数の光配線盤の上または下に、各々対応する複数の架間配線箱を設置し、光配線盤の渡配線を、対応する架間配線箱内を経由して配線する場合、架間配線箱は上下２段となっていたが、左右方向に配置されている複数の光配線盤間、及び、前後方向に配置されている複数の光配線盤間の渡配線を架間配線箱内を経由して配線する際に、左右方向及び前後方向の双方の複数の光配線盤間の渡配線を行う際の工夫がされておらず、渡配線が多数本であると渡配線が輻輳していまい、接続切替等の作業性が低下する可能性がある。また、架間配線箱を利用して渡配線によって接続する光配線盤の数を増大すると、前述の渡配線の輻輳や接続切替の作業性の低下が顕著になるため、これが、光配線設備を構成する光配線盤の設置数増大の妨げになっていた。
【０００５】
本発明は、上記課題に鑑みてなされたものであり、渡配線同士の絡みを防止して、接続切替等の作業性を向上する光配線設備、及び架間配線箱を提供することを目的とする。
【０００６】
【課題を解決するための手段】
上記目的のため、本発明は、複数集合して、左右方向及び前後方向に配置された光配線盤と、各光配線盤の上または下に設置され、水平方向に並べて配置された複数の架間配線箱とを有し、光配線盤間の渡配線が複数の架間配線箱内を経由して配線されるようになっており、前記架間配線箱は少なくとも上下２段となっており、複数の段のうちの少なくとも一段は、左右方向に配置された光配線盤間の渡配線を経由させる左右方向配線部であり、前記複数の段のうち、前記左右方向配線部以外の少なくとも一段が、前後方向に配置された光配線盤間の渡配線を経由させる前後方向配線部であることを特徴とする光配線設備である。
【０００７】
この発明によれば、前記架間配線箱は少なくとも上下２段となっており、複数の段のうち何れか一段は、左右方向に配置された光配線盤間の渡配線を経由させる左右方向配線部であり、前記複数の段のうち、前記左右方向配線部以外の少なくとも一段が、前後方向に配置された光配線盤間の渡配線を経由させる前後方向配線部であるので、左右方向に配置された光配線盤間の渡配線、及び、前後方向に配置された光配線盤間の渡配線による光ファイバ同士の絡みを防止して、接続切替等の作業性を向上することができる。
【０００８】
また、本発明における光配線設備は、前記架間配線箱の前記左右方向配線部には、左右方向に隣設されている架間配線箱間の左右方向の渡配線が集合配線される左右方向配線領域と、架間配線箱の配線口を介して、該架間配線箱の上または下の光配線盤との間に配線される光ファイバが集合配線される引き込み配線領域とが、該左右方向配線部の配線台上の異なる位置に設けられており、左右方向に隣り合う前記架間配線箱の前記左右方向配線領域同士が渡配線を可能に隣り合っていることを特徴としている。
【０００９】
この発明によれば、前記引き込み配線領域と前記左右方向配線領域とは、前記配線台上の異なる位置とされているので、架間配線箱の配線口を介して配線される光ファイバと、左右方向に隣設されている架間配線箱間の左右方向の渡配線としての光ファイバとが絡み合うことを防止して、接続切替等の作業性を向上することができる。更に、左右方向に隣り合う前記架間配線箱の前記左右方向配線領域同士が渡配線可能に隣り合っているので、左右方向に隣り合う架間配線箱間の渡配線が容易となる。
【００１０】
また、本発明における光配線設備は、前記架間配線箱の前記前後方向配線部には、前記引き込み配線領域と前後方向に隣設された架間配線箱間に前後方向の渡配線を通すための連通配線用ゲートとが設けられており、前記連通配線用ゲート同士を連通させて、前後方向に隣設された一対の架間配線箱の引き込み配線領域間に、前後方向の渡配線が可能になっていることを特徴としている。
【００１１】
この発明によれば、架間配線箱に引き込まれた光ファイバを、短い経路で前後方向に隣設された架間配線箱へ渡配線をすることができ、光ファイバが絡み合うことを防止して、接続切替等の作業性を向上することができる。
【００１２】
更に、本発明における光配線設備は、前記前後方向配線部には、左右方向に隣設されている架間配線箱の前後方向配線部間の渡配線が集合配線される左右方向配線領域が、前記引き込み配線領域に対して位置をずらして設けられており、左右方向に隣り合う架間配線箱の前記前後方向配線部の左右方向配線領域間は、左右方向の渡配線を可能に隣り合っており、左右方向に隣設された前後方向配線部の左右方向配線領域を介することで、前記前後方向の渡配線の光ファイバを、左右方向の位置が異なる光配線盤間に配線できるようになっていることを特徴としている。
【００１３】
この発明によれば、左右方向配線領域が、引き込み配線領域に対して位置をずらして設けられているので、光ファイバ同士の絡みを防止して、接続切替等の作業性を向上することができる。
【００１４】
また、本発明は、複数集合して、左右方向及び前後方向に配置された光配線盤の上または下に設置されて、水平方向に複数並べて配置されることで、光配線盤間の渡配線を収納する架間配線箱であって、左右方向に配置された光配線盤間の渡配線を経由させる左右方向配線部と、この左右方向配線部の上又は下に設けられ、前後方向に配置された光配線盤間の渡配線を経由させる前後方向配線部と、該架間配線箱の上または下の光配線盤との間に配線される光ファイバを通すための配線口とを有し、前記左右方向配線部には、左右方向に隣設されている架間配線箱間の渡配線が集合配線される左右方向配線領域と、前記配線口を介して光配線盤との間に配線される光ファイバが集合配線される引き込み配線領域とが、該左右方向配線部の配線台上の異なる位置に設けられており、前記前後方向配線部には、配線口を介して光配線盤との間に配線される光ファイバが集合配線される引き込み配線領域と、前後方向に隣設された架間配線箱間の渡配線を通すための連通配線用ゲートとが設けられていることを特徴とする架間配線箱である。
【００１５】
この発明によれば、左右方向に配置された光配線盤間の渡配線、及び、前後方向に配置された光配線盤間の渡配線による光ファイバ同士の絡みを防止して、接続切替等の作業性を向上することができる。
また、この発明によれば、架間配線箱に引き込まれた光ファイバを、短い経路で前後方向に隣設された架間配線箱へ渡配線をすることができ、光ファイバが絡み合うことを防止して、接続切替等の作業性を向上することができる。
また、この発明によれば、左右方向配線領域が、引き込み配線領域に対して位置をずらして設けられているので、光ファイバ同士の絡みを防止して、接続切替等の作業性を向上することができる。
【００１６】
【発明の実施の形態】
以下、本発明の実施の形態につき、図面を参照にして説明する。
図１は、本発明の実施の形態による光配線設備１を示す正面図である。この光配線設備１は、光接続盤２、及び、その上部に設けられた架間配線箱３とから構成されている。
【００１７】
光接続盤２の筐体４には、光ファイバケーブル５が下部から引き込まれている。これら光ファイバケーブル５は、筐体４の側板６に沿って配設し、筐体４下部の分岐部にてケーブルクランプ７やテンションメンバクランプ８によって固定し、口出しして光ファイバ心線（以下、光ファイバという）９を引き出している。これら光ファイバ９は、筐体４内に設置した分岐接続トレー収納部１０内に多段に積層された引き出し式の各分岐接続トレー１１内に図中左側から導入し、右側から分岐接続トレー１１に導入されたジャンパコード（光ファイバ）１２と図示しない光コネクタを介して接続切替可能に接続している。分岐接続トレー収納部１０にて分岐接続トレー１１は、筐体４の背面板１３から突設されたガイド棒にガイドされて前後方向（図１紙面奥行き方向）に引き出し／収納可能になっている。ジャンパコード１２は、２つの分岐接続トレー１１間に配線されることで、目的の光ファイバ同士９を接続する。
【００１８】
また、光接続盤２の上部には、架間配線箱３が設けられている。架間配線箱３は、鋼材等からなる枠体である。架間配線箱３内部は上下に仕切られた２段構成となっている。光接続盤２から引き出された光ファイバ１７は、架間配線箱３の配線口１８、１９を介して上下２段２０、２１の内、何れかの段にもたらされる。ここで、上段２０は、前後方向配線部であり、下段２１は、左右方向配線部である。上下２段の各々２０、２１には、各々の配線台１５、１６が設けられており、これらの配線台１５、１６上に、光ファイバ１７が載置される。
【００１９】
図２〜図７は、架間配線箱３の詳細を示す図である。図２は正面図、図３は平面図、図４は側面図、図５はａ−ａ線断面矢視図、図６はｂ−ｂ線断面矢視図、図７は前面カバー２２を示す図である。
【００２０】
図２〜図６に示すように、架間配線箱３は、枠状のフレーム３３に、各段の配線台１５、１６を固定して、上下２段２０、２１からなる構成となっている。
尚、架間配線箱３内に配線される架間渡配線である光ファイバ１７は、ここでは、両端が光コネクタによってコネクタ接続可能に成端された光ファイバコードであるが、これに限定されず、例えば、光ファイバ心線、光ファイバ素線等、多心あるいは単心の各種光ファイバを採用できる。
【００２１】
架間配線箱３の正面側（図２における紙面手前側）には、ネジ等の連結具２３により取付・取外可能な前面カバー２２が取り付け可能となっている。前面カバー２２が取り外されている状態において、架間配線箱３の正面側には、前面開口２４が形成された状態となっており、複数の架間配線箱３を前後方向（図２における紙面奥行き方向）に近接配置した場合、前面カバー２２が取り外されている状態の架間配線箱３が後側に配置されている場合に、光ファイバ１７が、前後に並んだ複数の架間配線箱３間に渡配線可能となっている。また、前面カバー２２が取り外されている状態において、架間配線箱３内での配線作業を行いやすいとの利点もある。
【００２２】
架間配線箱３の背面側（図２における紙面奥側）は、フレームのない後面開口２５となっており、光ファイバ１７が、前後に並んだ複数の架間配線箱３間に渡配線可能となっている。
【００２３】
図４におけるように、上下段の各々２０、２１、即ち、前後方向配線部および左右方向配線部は、左右方向両端部の側部フレーム２６における前面側が側部開口２７となっており、側部開口２７により、複数の架間配線箱３を左右方向に配列した場合に、光ファイバ１７が、左右方向に並んだ複数の架間配線箱３間に渡配線可能となっている。側部開口２７は、複数の架間配線箱３間に渡配線を配線するための渡配線口としても機能するものである。
【００２４】
図５、図６におけるように、上下段の各々２０、２１は、それらの下側に設けられた光ファイバ載置台である配線台１５、１６の一端側に配線口１８、２９が形成されており、下方にある光接続盤２から引き出された光ファイバ１７は、これらの配線口１８、２９を介して上下２段２０、２１の内、何れかの段の配線台１５、１６に載せられる。
【００２５】
図５におけるように、架間配線箱３の下段２１、即ち、左右方向配線部には、光接続盤２から引き出された光ファイバ１７を保持するコードクランプ（光ファイバ保持部）３０が複数、設けられており、配線台１６の略中央部に突設された凸部材３１は、引き込み配線領域ａ（後述）と左右方向配線領域ｂ（後述）との間に位置している。また、凸部材３１は、引き込み配線領域ａと左右方向配線領域ｂとの間にわたって配設される光ファイバ１７をガイドするガイド部材としても機能しており、該凸部材３１の側面は、光ファイバ１７の湾曲を維持する湾曲部になっている。また、架間配線箱３の下段２１には、配線台１６における後側に渡連通配線用ゲート３２が設けられている。渡連通配線用ゲート３２は、前後に並んだ複数の架間配線箱３間に渡配線される場合に、光ファイバ１７の左右方向（図２における紙面に対し左右方向）の位置決めをなすものである。
【００２６】
図６におけるように、架間配線箱３の上段２０、即ち、前後方向配線部には、光接続盤２から引き出された光ファイバ１７を保持するコードクランプ（光ファイバ保持部）３０が複数、設けられており、配線台１５の左右方向に並んで、架間配線箱３の上段２０内にある光ファイバ１７の引き出し方向を変更するための円柱状ガイド３１が、２箇所に設けられている。
【００２７】
図８、図９は、光接続盤２および架間配線箱３を備えた光配線設備１が、左右方向（図８、９における紙面に対し左右方向）および前後方向（図８、９における紙面に対し上下方向）に複数、近接配置されている状態を示すものであり、図８は架間配線箱３における下段２１を示しており、図９は架間配線箱３における上段２０を示している。
【００２８】
図８におけるように、架間配線箱３における下段２１、即ち、左右方向配線部では、前面側（図８における紙面の下側）において左右方向に複数並んだ架間配線箱３の各々は、光接続盤２から光ファイバ１７が引き込まれる配線口１９及びその近傍領域である引き込み配線領域ａが、架間配線箱３における後側（図８における紙面の上側）に設けられており、左右方向に配置された光配線盤２間に光ファイバ１７が渡配線される左右方向配線領域ｂが、架間配線箱３における前側（図８における紙面の下側）に設けられている。架間配線箱３における下段２１では、後面側（図８における紙面の上側）において左右方向に複数並んだ架間配線箱３の各々は、前面側において左右方向に複数並んだ架間配線箱３の各々に対し、１８０度回転した状態（平面視での向き）で設置されている。
【００２９】
図８に示すように、下段２１の左右方向配線領域ｂは、架間配線箱３の両側の側部開口２７にわたって、光ファイバ１７を引き通し配線できるようになっている。なお、上段２０の左右方向配線領域ｂについても、同様に、光ファイバ１７の引き通し配線が可能である（図９参照）。
図８におけるように、架間配線箱３における下段２１、即ち、左右方向配線部では、左右方向に複数並んだ架間配線箱３間にのみ、光ファイバ１７が渡配線されており、前後方向に複数並んだ架間配線箱３間には、光ファイバ１７が渡配線されていない。
尚、左右方向に隣り合う架間配線箱３の左右方向配線領域ｂ同士が、渡配線可能に隣り合う構成とは、図８において、左右方向に隣り合う架間配線箱３のそれぞれの側部開口（渡配線口）２７を介して、隣り合う架間配線箱３の左右方向配線領域ｂに跨る渡配線を設けることができるようになっている構成のことである。
【００３０】
図９におけるように、架間配線箱３における上段２０、即ち、前後方向配線部では、前面側（図９における紙面の下側）において左右方向に複数並んだ架間配線箱３の各々は、は、光接続盤２から光ファイバ１７が引き込まれる配線口１８及びその近傍領域である引き込み配線領域ａが、架間配線箱３における後側（図９における紙面の上側）に設けられており、左右方向に配置された光配線盤３間に光ファイバ１７が渡配線される左右方向配線領域ｂが、架間配線箱３における前側（図９における紙面の下側）に設けられている。架間配線箱３における上段２０では、後面側（図９における紙面の上側）において左右方向に複数並んだ架間配線箱３の各々は、前面側において左右方向に複数並んだ架間配線箱３の各々に対し、１８０度回転した状態（平面視での向き）となっている。
【００３１】
図９におけるように、架間配線箱３における上段２０、即ち、前後方向配線部では、左右方向に複数並んだ架間配線箱３間に加え、前後方向に複数並んだ架間配線箱３間に光ファイバ１７が渡配線されている。図９におけるように、引き込み配線領域ａにおいては、前後方向に配列されている光配線盤３間に配線される光ファイバ１７が配線される、前後方向配線領域ｃともなっており、引き込み配線領域ａには、前後方向に隣り合う架間配線箱３における引き込み配線領域ａとの間の渡配線のための連通配線用ゲート３２が設けられている。
【００３２】
図９におけるように、架間配線箱３における上段２０、即ち、前後方向配線部では、前後方向に近接して配列されている光配線盤２間に光ファイバ１７が引き込まれ、前後方向に近接して配列されている光配線盤２間を配線する場合に加え、ある光配線盤２に対応する架間配線箱３に対し、前方向に近接して配列されている架間配線箱３を通過して、通過した架間配線箱３に左右方向に並んで配列されている架間配線箱３の下方に設けられている光配線盤２に配線する場合がある。
【００３３】
この発明の実施の形態において、隣り合う架間配線箱３の配線台１５が、上下方向の段差を殆ど生じることなく、左右方向に連続するようにして配置される。
よって、隣り合う架間配線箱３の左右方向配線領域ｂにわたって配線する渡配線は、配線台１５の上下方向の段差に起因する曲げ等の影響を受けない。
左右方向に隣り合う架間配線箱３は、配線台１５同士の間が、若干の隙間を介して離隔されていても良いが、例えば、配線台１５同士の突き合わせ、配線台１５間への渡し板（図示略）の架設等によって、横方向に連続する面を形成するようにしても良い。
【００３４】
図１０、図１１は、本発明の実施の形態による架間配線箱３の立体構造の概要を示す斜視図であり、２つの架間配線箱３を左右方向に並んで配列した状態を示す。
図１０に示す架間配線箱３は、対向する両側の側部開口２７（渡配線口）の正面側に、該架間配線箱３のフレームを構成する棒状支持体３４（上下方向に延在する支柱）が設けられている構造になっている。
【００３５】
これに対し、図１１に示す架間配線箱３は、図１０の架間配線箱３に設けられている棒状支持体３４が存在しない。図１０の架間配線箱３では、側部開口２７から該架間配線箱３内への光ファイバ１７の引き込みや、左右方向に並んで配列されている架間配線箱３間への光ファイバ１７の配線を架間配線箱３の正面側からの作業によって行う場合、棒状支持体３４との干渉を回避するために、光ファイバ１７の掴み直し等を要するが、図１１に示す架間配線箱３では、上下の各段２０、２１には、該架間配線箱３の正面側からの作業の支障になるような障害物（例えば、前述の棒状支持体３４）が存在しないため、例えば、両側の側部開口２７のうちの一方から引き込んだ光ファイバ（渡配線等）を他方の側部開口２７まで引き通す作業や、左右方向に並んで配列されている架間配線箱３間に光ファイバ１７を配線する作業を、架間配線箱３正面側からの作業によって行う場合に、障害物を回避するための光ファイバ１７の掴み直しが不要であり、光ファイバ１７を掴んだまま作業を行えるため、作業性を向上できる利点がある。
【００３６】
【発明の効果】
本発明によれば、前記架間配線箱は少なくとも上下２段となっており、複数の段のうち何れか一段は、左右方向に配置された光配線盤間の渡配線を経由させる左右方向配線部であり、前記複数の段のうち、前記左右方向配線部以外の少なくとも一段が、前後方向に配置された光配線盤間の渡配線を経由させる前後方向配線部であるので、左右方向に配置された光配線盤間の渡配線、及び、前後方向に配置された光配線盤間の渡配線による光ファイバ同士の絡みを防止して、接続切替等の作業性を向上することができる。
【図面の簡単な説明】
【図１】本発明の実施の形態による光配線設備を示す正面図である。
【図２】本発明の実施の形態による架間配線箱の正面図である。
【図３】本発明の実施の形態による架間配線箱の平面図である。
【図４】本発明の実施の形態による架間配線箱の側面図である。
【図５】図２におけるＡ−Ａ線断面矢視図である。
【図６】図２におけるＢ−Ｂ線断面矢視図である。
【図７】架間配線箱に取り付けられる前面カバーを示す図である。
【図８】本発明の実施の形態による架間配線箱が前後方向および左右方向に複数設けられた状態において、架間配線箱の下段としての左右方向配線部を示す図である。
【図９】本発明の実施の形態による架間配線箱が前後方向および左右方向に複数設けられた状態において、架間配線箱の上段としての前後方向配線部を示す図である。
【図１０】本発明の実施の形態による架間配線箱を左右方向に並んで配列した状態の概要を示す図である。
【図１１】本発明の実施の形態による架間配線箱を左右方向に並んで配列した状態の概要を示す図である。
【符号の説明】
１‥‥光配線設備、２‥‥光接続盤、３‥‥架間配線箱、４‥‥筐体、５‥‥光ファイバケーブル、６‥‥側板、７‥‥ケーブルクランプ、８‥‥テンションメンバクランプ、９‥‥光ファイバ、１０‥‥分岐接続トレー収納部、１１‥‥分岐接続トレー、１２‥‥ジャンパコード、１３‥‥背面板、１４‥‥ガイド棒、１５‥‥配線台、１６‥‥配線台、１７‥‥光ファイバ、１８‥‥配線口、１９‥‥配線口、２０‥‥上段（前後方向配線部）、２１‥‥下段（左右方向配線部）、２２‥‥前面カバー、２３‥‥連結具、２４‥‥前面開口、２５‥‥後面開口、２６‥‥側部フレーム、２７‥‥側部開口、３０‥‥コードクランプ、３１‥‥円柱状ガイド（凸部材）、３２‥‥連通配線用ゲート、３３‥‥フレーム、３４‥‥棒状支持体、ａ‥‥引き込み配線領域、ｂ‥‥左右方向配線領域、ｃ‥‥前後方向配線領域
【図１】
2004347967.tif 000003
【図２】
2004347967.tif 000004
【図３】
2004347967.tif 000005
【図４】
2004347967.tif 000006
【図５】
2004347967.tif 000007
【図６】
2004347967.tif 000008
【図７】
2004347967.tif 000009
【図８】
2004347967.tif 000010
【図９】
2004347967.tif 000011
【図１０】
2004347967.tif 000012
【図１１】
2004347967.tif 000013